(57)【要約】【課題】吸収性本体の備える吸収体が幅縮みし難く、十分な吸収性能が発揮できる着用物品を提供すること。【解決手段】本発明の着用物品１は吸収性本体２と外装体３とを備える。吸収性本体２の両側部２Ｓには防漏カフ４が配される。カフ形成用シート４１は吸収性本体２から外装体３に向かって延びる延出域４１ｅを備える。吸収性本体２と外装体３とは、延出域４１ｅを介して固定されている。外装体３は少なくとも横方向Ｙに伸縮性を有する。着用物品１は、吸収性本体２に延出域４１ｅが固定された本体固定部５２と、外装体３に延出域４１ｅが固定された外装体固定部５３とを備える。延出域４１ｅは、本体固定部５２と外装体固定部５３との間に非固定部４１３を有する。【選択図】図３
2019118589.tif 000002
【特許請求の範囲】
【請求項１】
液保持性の吸収体を含む吸収性本体と、該吸収性本体の非肌対向面側に配された外装体とを備え、着用者の前後方向に対応する縦方向とこれに直交する横方向とを有する着用物品であって、
前記吸収性本体における前記縦方向に沿う両側部それぞれに防漏カフが配されており、
各前記防漏カフを形成するカフ形成用シートは、前記吸収性本体から前記外装体に向かって延びる延出域を備え、該延出域は前記縦方向に延在しており、
前記吸収性本体と前記外装体とは、前記吸収性本体の前記両側部において、前記延出域を介して固定されており、
前記外装体は、少なくとも前記吸収性本体と重なる領域において、少なくとも前記横方向に伸縮性を有し、
前記着用物品は、前記吸収性本体と前記カフ形成用シートとが前記縦方向に沿って固定された本体固定部と、前記外装体と該カフ形成用シートとが前記縦方向に沿って固定された外装体固定部とを備え、
前記延出域は、前記本体固定部と前記外装体固定部との間に非固定部を有している、着用物品。
【請求項２】
前記外装体を前記横方向に伸長させた状態において、前記外装体固定部の前記縦方向に沿う前記非固定部側の側縁が、前記本体固定部の前記縦方向に沿う該非固定部側の側縁よりも前記横方向外方に位置している、請求項１に記載の着用物品。
【請求項３】
前記外装体の自然状態において、前記外装体固定部の前記縦方向に沿う前記非固定部側の側縁が、前記本体固定部の前記縦方向に沿う該非固定部側の側縁よりも前記横方向内方に位置している、請求項１又は２に記載の着用物品。
【請求項４】
着用時に着用者の股間部に配される股下部では、前記外装体の自然状態において、該外装体の幅が、前記吸収性本体の幅よりも狭い、請求項１〜３の何れか１項に記載の着用物品。
【発明の詳細な説明】
【技術分野】
【０００１】
本発明は、使い捨ておむつ等の着用物品に関する。
【背景技術】
【０００２】
使い捨ておむつとして、液保持性の吸収体を含む吸収性本体と、該吸収性本体の非肌対向面側に配されて該吸収性本体を固定する外装体とを備え、該外装体における腹側部及び背側部それぞれの両側縁部どうしを接合して、着用者の胴が通されるウエスト開口部及び着用者の下肢が通される一対のレッグ開口部が形成されたパンツ型使い捨ておむつが知られている。例えば、特許文献１には、外装体と吸収性本体との間に、これらとは別体の吸収体固定用シートを配し、該吸収体固定用シートを介して外装体と吸収性本体とを固定するパンツ型使い捨ておむつが記載されている。特許文献１に記載の使い捨ておむつでは、吸収体固定用シートが外装体と吸収性本体との間において左右に配置されている。
【０００３】
特許文献２には、液保持性の吸収体を含む液吸収部材と、該液吸収部材の非肌対向面側に配された支持体と、それらの間に、別体の側壁シートとを備えた生理用ナプキンが記載されている。特許文献２に記載の生理用ナプキンでは、側壁シートが支持体の幅方向の両端部それぞれに縦方向に延びて配置されており、各側壁シートを介して液吸収部材及び支持体が固定されている。
【先行技術文献】
【特許文献】
【０００４】
【特許文献１】国際公開第０１／０５８４０１号パンフレット
【特許文献２】特開２００１−２４５９２８号公報
【発明の概要】
【発明が解決しようとする課題】
【０００５】
特許文献１に記載の使い捨ておむつは、外装体を横方向へ伸長させた状態で各吸収体固定用シートを介して吸収性本体を固定して形成されている。そして、外装体と吸収性本体との間で吸収体固定用シートがあそびの間隔無く固定されている。その為、特許文献１に記載のおむつは、吸収性本体の横方向の剛性により外装体の横方向の伸縮が阻害されるため、外装体に無秩序な皺が発生し、審美性が低下する。
【０００６】
また、特許文献２には、使い捨ておむつの外観を構成し、全面に伸縮性を有する外装体に関して、何ら記載されていない。
【０００７】
従って本発明の課題は、外観の審美性が低下することを抑制した着用物品を提供することに関する。
【課題を解決するための手段】
【０００８】
本発明は、液保持性の吸収体を含む吸収性本体と、該吸収性本体の非肌対向面側に配された外装体とを備え、着用者の前後方向に対応する縦方向とこれに直交する横方向とを有する着用物品であって、前記吸収性本体における前記縦方向に沿う両側部それぞれに防漏カフが配されており、各前記防漏カフを形成するカフ形成用シートは、前記吸収性本体から前記外装体に向かって延びる延出域を備え、該延出域は前記縦方向に延在しており、
前記吸収性本体と前記外装体とは、前記吸収性本体の前記両側部において、前記延出域を介して固定されており、前記外装体は、少なくとも前記吸収性本体と重なる領域において、少なくとも前記横方向に伸縮性を有し、前記着用物品は、前記吸収性本体と前記カフ形成用シートとが前記縦方向に沿って固定された本体固定部と、前記外装体と該カフ形成用シートとが前記縦方向に沿って固定された外装体固定部とを備え、前記延出域は、前記本体固定部と前記外装体固定部との間に非固定部を有している、着用物品を提供するものである。
【発明の効果】
【０００９】
本発明の着用物品によれば、外観の審美性の低下を抑制することができる。
【図面の簡単な説明】
【００１０】
【図１】図１は、本発明の着用物品の一実施形態であるパンツ型使い捨ておむつを模式的に示す斜視図である。
【図２】図２は、図１に示すおむつの展開且つ伸長状態における肌対向面側（内面側）を模式的に示す展開平面図である。
【図３】図３（ａ）は、図２のＩＩＩ−ＩＩＩ線断面（横方向に沿う断面）を模式的に示す外装体を伸長させた状態における横断面図であり、図３（ｂ）は、外装体の自然状態における横断面図である。
【図４】図４（ａ）は、図２のＩＶ−ＩＶ線端面（横方向に沿う端面）を模式的に示す外装体を伸長させた状態における横端面図であり、図４（ｂ）は、外装体の自然状態における横端面図である。
【図５】図５（ａ）は本発明の着用物品の他の実施形態のおむつにおける外装体を伸長させた状態における腹側部の横断面図であり、図５（ｂ）は外装体の自然状態における腹側部の横断面図である。
【図６】図６（ａ）は本発明の着用物品のまた別の実施形態のおむつにおける外装体を伸長させた状態における腹側部の横断面図であり、図６（ｂ）は外装体の自然状態における腹側部の横断面図である。
【図７】図７（ａ）は本発明の着用物品の更に別の実施形態のおむつにおける外装体を伸長させた状態における腹側部の横断面図であり、図７（ｂ）は外装体の自然状態における腹側部の横断面図である。
【発明を実施するための形態】
【００１１】
以下本発明を、その好ましい実施形態に基づき図面を参照しながら説明する。図１〜図４には、本発明の着用物品の一実施形態であるパンツ型使い捨ておむつ１が示されている。おむつ１は、図１〜図４に示すように、着用者の前後方向、即ち腹側から股間部を介して背側に延びる方向に相当する縦方向Ｘと、これに直交する横方向Ｙとを有している。おむつ１は、吸収性本体２と、吸収性本体２の非肌対向面側に配された外装体３とを備えている。
【００１２】
本明細書において、「肌対向面」は、使い捨ておむつ又はその構成部材（例えば表面シート）における、使い捨ておむつの着用時に着用者の肌側に向けられる面、即ち相対的に着用者の肌に近い側であり、「非肌対向面」は、使い捨ておむつ又はその構成部材における、使い捨ておむつの着用時に肌側とは反対側に向けられる面、即ち相対的に着用者の肌から遠い側である。尚、ここでいう「着用時」は、通常の適正な着用位置、即ち当該使い捨ておむつの正しい着用位置が維持された状態を意味する。
【００１３】
おむつ１は、図１及び図２に示すように、股下部Ｍ並びに該股下部Ｍの前後から縦方向Ｘに延出する腹側部Ｆ及び背側部Ｒを有する。股下部Ｍは、おむつ１の着用時において着用者の股間部に配される部位であり、腹側部Ｆは、おむつ１の着用時において股下部Ｍよりも着用者の腹側即ち縦方向Ｘの前側に配される部位であり、背側部Ｒは、おむつ１の着用時において股下部Ｍよりも着用者の背側即ち縦方向Ｘの後側に配される部位である。腹側部Ｆ及び背側部Ｒは、おむつ１の着用時に着用者の胴周りに配される胴周り部である。
【００１４】
おむつ１は、腹側部Ｆ及び背側部Ｒそれぞれにおける外装体３の縦方向Ｘに沿う両側縁部どうしが、接着剤、ヒートシール、超音波シール等の公知の接合手段によって互いに接合されている。そして、おむつ１は、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されたパンツ型使い捨ておむつとなっている。
【００１５】
吸収性本体２は、図３及び図４に示すように、肌対向面を形成する液透過性の表面シート２１、非肌対向面を形成する液不透過性又は液難透過性の裏面シート２２、及び両シート２１，２２間に介在配置された液保持性の吸収体２３を具備しており、これらが接着剤等の公知の接合手段により一体化されて構成されている。表面シート２１は、縦方向Ｘ及び横方向Ｙの長さが、それぞれ吸収体２３の縦方向Ｘ及び横方向Ｙの長さと略同じ長さに形成されている。裏面シート２２は、縦方向Ｘの長さが吸収体２３の縦方向Ｘの長さと略同じ長さに形成されている。また裏面シート２２は、横方向Ｙの長さが吸収体２３の横方向Ｙの長さよりも長く形成されており、吸収体２３の縦方向Ｘに沿う両側部を被覆するように各該側部の肌対向面側に巻き上げられている。このように、吸収体２３の肌対向面は表面シート２１で覆われており、吸収体２３の非肌対向面は裏面シート２２で覆われている。
【００１６】
吸収体２３を構成する吸収性コアは、図２に示す如きおむつ１の展開且つ伸長状態において、縦方向Ｘに長い長方形形状をなし、腹側部Ｆから背側部Ｒに亘って縦方向Ｘに延在している。図２に示すように、縦方向Ｘの全長に関し、吸収性本体２と吸収体２３とは略同じ長さであり、吸収性本体２の縦方向Ｘの両端は、吸収体２３の縦方向Ｘの両端と略同じ位置にある。また、図２〜図４に示すように、横方向Ｙの全長に関し、吸収性本体２と吸収体２３とは略同じ長さであり、吸収性本体２の縦方向Ｘに沿う両側縁は、吸収体２３の縦方向Ｘに沿う両側縁と略同じ位置にある。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１７】
表面シート２１、裏面シート２２及び吸収体２３としては、使い捨ておむつ等の吸収性物品に従来用いられている各種のもの等を特に制限なく用いることができる。例えば、表面シート２１としては、単層又は多層構造の不織布や、開孔フィルム等を用いることができる。裏面シート２２としては、透湿性の樹脂フィルム等を用いることができる。吸収体２３としては、吸収性ポリマーの粒子及び繊維材料から構成された吸収性材料からなる吸収性コアがティッシュペーパーによって被覆されているものを用いることができる。
【００１８】
外装体３は、図２に示す如き展開且つ伸長状態のおむつ１において、吸収性本体２の全周から外方に延出しており、おむつ１の外形を形作っている。外装体３の周縁は、図２に示す状態のおむつ１の輪郭線、即ち、腹側部Ｆ、股下部Ｍ及び背側部Ｒそれぞれの輪郭線を形成している。外装体３は、腹側部Ｆ及び背側部Ｒにおける横方向Ｙの長さが、股下部Ｍにおける横方向Ｙの長さよりも長く、図２に示す如き平面視において、外装体３の縦方向Ｘに沿う両側縁が、股下部Ｍにおいて、横方向Ｙ内方に向かって凸の円弧状に湾曲している。
【００１９】
外装体３は、おむつ１では、外装体３の腹側部Ｆから背側部Ｒに亘る全域において横方向Ｙに伸縮性を有している。本明細書において「伸縮性」とは、所定方向に伸長可能であり且つ伸長を解除すると収縮する性質を意味する。伸縮性を有する外装体３に使用可能な伸縮シートとしては、２枚のシートの間に伸長状態の伸縮部材を配置した伸縮シートの他、例えば（１）面状に拡がる弾性繊維層の両面又は片面に伸長可能な繊維層が一体化されている伸縮シート、（２）面状に拡がるネット状の弾性シートの両面又は片面に伸長可能な繊維層が一体化されている伸縮シート、（３）面状に拡がる弾性フィルムの両面又は片面に伸長可能な繊維層が一体化されている伸縮シート、（４）互いに交差せずに一方向に延びるように配列した多数の弾性フィラメントが、実質的に非伸長状態で、それらの全長にわたり、伸長可能な不織布に接合されてなる伸縮シート等を好ましく用いることができる。弾性繊維層等と伸長可能な繊維層等との一体化の方法としては、例えば、これらを積層して水流交絡したり、エアスルー等により繊維を交絡させる方法、ヒートエンボス、接着剤、超音波等によって接合させたりする方法が挙げられる。前記（１）〜（３）の伸縮シートは、横方向Ｙのみならず全方向に伸縮性を有していても良い。（４）の形態には身体の曲率に合わせて弾性フィラメントの伸縮率を変更することで適材適所の応力設計が可能という利点がある。おむつ１では、外装体３に２枚のシートの間に伸長状態の伸縮部材を配置した伸縮シートを用いている。
【００２０】
外装体３は、図２に示すように、おむつ１の外面を形成する外層シート３１と、該外層シート３１の肌対向面側に配される内層シート３２とを重ねて形成されている。外層シート３１及び内層シート３２は、同一形状で且つ同じ大きさに形成されている。弾性部材３３は、外装体３の横方向Ｙの全長に亘って連続している。弾性部材３３は、腹側部Ｆから股下部Ｍを介して背側部Ｒに亘って、縦方向Ｘに間隔を空けて互いに交差せずに配されており、外層シート３１及び内層シート３２の少なくとも一方に接合されている。外装体３は、腹側部Ｆから背側部Ｒに亘る全域において、弾性部材３３の延びる方向（横方向Ｙ）と同方向である横方向Ｙに伸縮可能になっている。
【００２１】
おむつ１には、図２〜図４に示すように、吸収性本体２における縦方向Ｘに沿う両側部２Ｓ，２Ｓそれぞれに防漏カフ４が配されている。防漏カフ４は、吸収性本体２の縦方向Ｘの全長に亘って連続する撥水性のカフ形成用シート４１と、カフ形成用シート４１の横方向Ｙの自由端部に縦方向Ｘに伸長状態で固定された１本又は複数本のカフ弾性部材４２とを含んで構成されている。カフ弾性部材４２は、カフ形成用シート４１を折り返して形成された自由端部に固定されており、折り返した部分においてカフ形成用シート４１，４１どうしも固定されている。このように、防漏カフ４は、縦方向Ｘに伸長状態のカフ弾性部材４２をカフ形成用シート４１に固定して形成されている。カフ形成用シート４１及びカフ弾性部材４２としては、使い捨ておむつ等の吸収性物品に従来用いられている各種のもの等を制限なく用いることができる。
【００２２】
吸収性本体２の両側部２Ｓ，２Ｓそれぞれの肌対向面には、防漏カフ４と表面シート２１とが縦方向Ｘに沿って固定されたカフ固定部５１が形成されている。カフ固定部５１は、カフ形成用シート４１が吸収性本体２の肌対向面に固定されて形成されており、吸収性本体２の縦方向Ｘの全長に亘って延びている。おむつ１では、カフ固定部５１は、カフ形成用シート４１が吸収性本体２の上側で固定されて形成された上側のカフ固定部となっている。防漏カフ４は、吸収性本体２の縦方向Ｘの腹側端部及び背側端部それぞれにおいて、横方向Ｙの自由端部を構成するカフ形成用シート４１が吸収体２３上の表面シート２１の肌対向面に固定されている。防漏カフ４は、おむつ１の着用時には、縦方向Ｘにカフ弾性部材４２の収縮力が働き、少なくとも股下部Ｍにおいてカフ固定部５１を起点としてカフ弾性部材４２を配した自由端部が着用者の肌に向けて起立するようになっている。
【００２３】
またおむつ１では、カフ形成用シート４１が、カフ固定部５１を越え、吸収性本体２の側部２Ｓの側縁から横方向Ｙ外方に延出して形成されており、吸収性本体２の側部２Ｓを被覆するように、側部２Ｓの肌対向面側から非肌対向面側に巻き下げられている。そして、カフ形成用シート４１は、吸収性本体２から外装体３に向かって延びる延出域４１ｅを備えている。延出域４１ｅは縦方向Ｘに延在しており、延出域４１ｅの縦方向Ｘの全長と吸収性本体２の縦方向Ｘの全長とは略同じ長さである。おむつ１では、延出域４１ｅは、吸収性本体２の縦方向Ｘに沿う両側部２Ｓ，２Ｓそれぞれに対応する位置を含む領域に一対配されており、互いに横方向Ｙに間隔を空けて配されている。各延出域４１ｅは、図３及び図４に示すように、横方向Ｙの中央部分が内方に凸になるように折り畳まれている。
【００２４】
図３及び図４に示すように、吸収性本体２と外装体３とは、直接接合されておらず、吸収性本体２の両側部２Ｓ，２Ｓにおいて、カフ形成用シート４１の延出域４１ｅを介して固定されている。具体的には、おむつ１は、図３及び図４に示すように、吸収性本体２の非肌対向面側にカフ形成用シート４１の延出域４１ｅが縦方向Ｘに沿って固定された本体固定部５２と、外装体３の肌対向面にカフ形成用シート４１の延出域４１ｅが縦方向Ｘに沿って固定された外装体固定部５３とを備えている。本体固定部５２及び外装体固定部５３は、吸収性本体２の縦方向Ｘの全長に亘って延びている。延出域４１ｅでは、横方向Ｙにおいて、吸収性本体２側に配された一端部４１１が、吸収性本体２の非肌対向面側に本体固定部５２を介して固定されている。本体固定部５２では、延出域４１ｅの一端部４１１が、吸収性本体２の非肌対向面側に、帯状に面接触する状態で固定されている。また本体固定部５２は、審美性の観点から、吸収性本体２の縦方向Ｘに沿う側部２Ｓと重なる位置に配されることが好ましい。
【００２５】
そして延出域４１ｅでは、横方向Ｙにおいて、外装体３側に配された他端部４１２が、外装体３の内層シート３２の肌対向面に外装体固定部５３を介して固定されている。外装体固定部５３では、延出域４１ｅの他端部４１２が、外装体３の肌対向面に、帯状に面接触する状態で固定されている。そして、外装体固定部５３では、おむつ１の自然状態において、図３（ｂ）及び図４（ｂ）に示すように、外装体３に形成された皺に沿って延出域４１ｅが配された状態となっている。ここで、本明細書において、「自然状態」とは、おむつ１単独の状態（つまり着用時ではない状態）で、外装体３に外力を加えない緩和状態をいう。おむつ１では、本体固定部５２及び外装体固定部５３は、延出域４１ｅが内方に凸に折り畳まれた形態であるため、延出域４１ｅにおける同じ面の表面上に形成されている。おむつ１では、防漏カフ４がカフ形成用シート４１を用いて形成されており、該カフ形成用シート４１の延出域４１ｅを介して吸収性本体２と外装体３とが接合されていることで、防漏カフ４の立ち上がりが良くなる。
【００２６】
尚、図３に記載の断面図及び図４に記載の端面図では、吸収性本体２と外装体３との間に大きな隙間があるように図示しているが、これは説明のための模式図だからであり、実際には前記大きな隙間は生じず、吸収性本体２と外装体３との間は近接している。
【００２７】
本体固定部５２は、本体固定部５２の縦方向Ｘに沿う両側縁として、後述する非固定部４１３側の側縁５２Ｓと、該側縁５２Ｓとは反対側の側縁とを有している。ここで、本体固定部５２の側縁５２Ｓとは、本体固定部５２の縦方向Ｘに沿う両側縁の内、非固定部４１３における吸収性本体２側の端縁に近い側の側縁である。同様に、外装体固定部５３は、外装体固定部５３の縦方向Ｘに沿う両側縁として、後述する非固定部４１３側の側縁５３Ｓと、該側縁５３Ｓとは反対側の側縁とを有している。ここで、外装体固定部５３の側縁５３Ｓとは、外装体固定部５３の縦方向Ｘに沿う両側縁の内、非固定部４１３における外装体３側の端縁に近い側の側縁である。
【００２８】
本体固定部５２及び外装体固定部５３は、接着剤或いは熱融着により形成することができ、おむつ１では、接着剤を塗工して形成されている。塗工する接着剤としては、ホットメルト粘着剤などの使い捨ておむつ等の吸収性物品において公知の接着剤を用いることができる。また、接着剤は、一面全体に連続して塗工しても良いが、塗工部と非塗工部が混在した状態に形成されるパターン塗工が好ましい。パターン塗工の塗工パターンとしては、スパイラルパターン、ストライプパターン、ドットパターン等が挙げられる。
【００２９】
一対の延出域４１ｅ，４１ｅは、それぞれ、図３及び図４に示すように、本体固定部５２と外装体固定部５３との間に非固定部４１３を有している。おむつ１では、非固定部４１３によって、本体固定部５２と外装体固定部５３とが隔てられている。非固定部４１３は、縦方向Ｘに延在しており、延出域４１ｅの縦方向Ｘの全長に亘って形成されている。非固定部４１３は、吸収性本体２及び外装体３のみならず、おむつ１を構成する全ての部材と固定されていない。おむつ１では、吸収性本体２と外装体３とが、直接固定されておらず、カフ形成用シート４１の延出域４１ｅを介して固定されており、吸収性本体２の両側部２Ｓ，２Ｓにおいて、吸収性本体２及び外装体３を固定する延出域４１ｅが、一端部４１１と他端部４１２との間に非固定部４１３を有している。その為、外装体３の自然状態における横方向Ｙへの収縮が阻害され難くなる。その結果、外装体３に無秩序に皺が発生することが抑制され、おむつ１の審美性の低下が抑制される。このように、無秩序に発生する皺が抑制され、外装体３の全体に形成される皺がほぼ均一になることで、おむつ１の審美性が向上する。
【００３０】
おむつ１は、上述したように、吸収性本体２の縦方向Ｘに沿う両側部２Ｓ，２Ｓに一対の延出域４１ｅ，４１ｅを有している。そして、各延出域４１ｅの横方向Ｙの一端部４１１が本体固定部５２で吸収性本体２に固定されており、横方向Ｙの他端部４１２が外装体固定部５３で外装体３に固定されている。このように、本体固定部５２は横方向Ｙに間隔を空けて一対形成されており、外装体固定部５３は横方向Ｙに間隔を空けて一対形成されている。そして、一対の本体固定部５２，５２及び一対の外装体固定部５３，５３は、それぞれ、互いに間隔を空けて配されている。このように、一対の本体固定部５２，５２どうしの間、及び一対の外装体固定部５３，５３どうしの間に間隔を空けて配することで接着面積を多くする必要が無く、柔軟性が低下することを抑制することができる。
【００３１】
上述したおむつ１は、例えば、以下のようにして製造することができる。
予め外装体３の連続体及び吸収性本体２をそれぞれ製造し、延出域４１ｅを有する一対のカフ形成用シート４１，４１を用意する。そして、図３（ｂ）及び図４（ｂ）に示す外装体３の自然状態において、吸収体２３の横方向Ｙの長さ（Ｗ２３）に対する、延出域４１ｅの非固定部４１３を平面視した際の横方向Ｙの間隔（一対の非固定部４１３，４１３それぞれの横方向Ｙの間隔の総和）（Ｗ４１３ａ）の割合（（Ｗ４１３ａ／Ｗ２３）×１００）が、１０％以上、そして、７０％以下となるように、搬送方向に伸長状態の外装体３の連続体と延出域４１ｅとの接合位置及び吸収性本体２と延出域４１ｅとの接合位置等を調整する。前記割合（（Ｗ４１３ａ／Ｗ２３）×１００）は、１０％以上であることが好ましく、２０％以上であることが更に好ましく、そして、５５％以下であることが好ましく、４５％以下であることが更に好ましく、具体的には、１０％以上５５％以下であることが好ましく、２０％以上４５％以下であることが更に好ましい。
【００３２】
尚、「外装体３の自然状態において、延出域４１ｅの非固定部４１３を平面視した際の横方向Ｙの間隔Ｗ４１３ａ」とは、内方に凸になるように折り畳まれている延出域４１ｅを平面視して、非固定部４１３の凸の頂点から外装体固定部５３の縦方向Ｘに沿う非固定部４１３側の側縁５３Ｓまでの間隔（左右の前記間隔の総和）、又は該凸の頂部から本体固定部５２の縦方向Ｘに沿う非固定部４１３側の側縁５２Ｓまでの間隔（左右の前記間隔の総和）の内、長い方の間隔を意味する。図３（ｂ）及び図４（ｂ）に示す外装体３の自然状態においては、該間隔Ｗ４１３ａは、吸収性本体２側から視た際の非固定部４１３の凸の頂点から本体固定部５２の非固定部４１３側の側縁５２Ｓまでの間隔（左右の前記間隔の総和）である。
【００３３】
上述の調整位置にて延出域４１ｅを介して吸収性本体２及び伸長状態の外装体３を固定した後、おむつの製造に従来用いられる横流れの製造方法と同様にして外装体３を所定の形状にカット及び接合等して、上述したおむつ１を製造することができる。おむつ１では、伸長状態の外装体３に対して延出域４１ｅを接合することから、外装体３と延出域４１ｅとは、外装体固定部５３にて面接触により接合される。その為、おむつの自然状態において、延出域４１ｅは外装体３に形成された皺に沿うようになる。
【００３４】
吸収性本体２、外装体３及びカフ形成用シート４１の延出域４１ｅの具体的な大きさ等は、所望の値に基づいて適宜設定することができる。例えば、図４（ａ）に示す外装体３を伸長させた状態の股下部Ｍにおいて、外装体３の横方向Ｙの長さ（Ｗ３）に対する、延出域４１ｅの非固定部４１３を平面視した際の横方向Ｙの間隔（一対の非固定部４１３，４１３それぞれの横方向Ｙの間隔の総和）（Ｗ４１３ｂ）の割合（（Ｗ４１３ｂ／Ｗ３）×１００）を、８％以上、そして、５０％以下に設定することにより製造することができる。該割合（（Ｗ４１３ｂ／Ｗ３）×１００）は、８％以上であることが好ましく、１２％以上であることが更に好ましく、そして、５０％以下であることが好ましく、４０％以下であることが更に好ましく、具体的には、８％以上５０％以下であることが好ましく、１２％以上４０％以下であることが更に好ましい。ここで、「外装体３を横方向Ｙに伸長させた状態」とは、おむつ１の展開且つ伸長状態において、外装体３の横方向Ｙのみに着目しており、具体的には弾性部材３３を伸長させて外層シート３１及び内層シート３２の設計寸法となるまで拡げた状態をいう。
【００３５】
尚、「外装体３を横方向Ｙに伸長させた状態において、延出域４１ｅの非固定部４１３を平面視した際の横方向Ｙの間隔Ｗ４１３ｂ」とは、内方に凸になるように折り畳まれている延出域４１ｅを平面視して、非固定部４１３の凸の頂点から外装体固定部５３の非固定部４１３側の側縁５３Ｓまでの間隔（左右の前記間隔の総和）、又は該凸の頂部から本体固定部５２の非固定部４１３側の側縁５２Ｓまでの間隔（左右の前記間隔の総和）の内、長い方の間隔を意味する。図３（ａ）及び図４（ａ）に示す外装体３を横方向Ｙに伸長させた状態においては、前記間隔Ｗ４１３ｂは、外装体３側から視た際の非固定部４１３の凸の頂点から外装体固定部５３の非固定部４１３側の側縁５３Ｓまでの間隔（左右の前記間隔の総和）である。
【００３６】
おむつ１の着用時の外観において該おむつ１の審美性が向上する観点から、図３（ａ）に示すように、それぞれのカフ形成用シート４１について、外装体３を横方向Ｙに伸長させた状態において、おむつ１を横方向Ｙに沿って断面視して、外装体固定部５３の非固定部４１３側の側縁５３Ｓが、本体固定部５２の非固定部４１３側の側縁５２Ｓよりも横方向Ｙ外方に位置していることが好ましい。このような関係が、腹側部Ｆ及び背側部Ｒの両方において成立していることが好ましく、図４（ａ）に示すように、腹側部Ｆ及び背側部Ｒのみならず股下部Ｍにおいても成立していることが更に好ましい。特におむつ１のように、本体固定部５２及び外装体固定部５３が、それぞれ、一対形成されている場合には、外装体３を横方向Ｙに伸長させた状態において、各外装体固定部５３の全域が、本体固定部５２よりも横方向Ｙ外方に位置していることが更に好ましい。このように、外装体３を横方向Ｙに伸長させた状態において、外装体固定部５３の全域が本体固定部５２よりも横方向Ｙ外方に位置することで、本体固定部５２と外装体固定部５３とが厚み方向で重ならなくなるので、柔軟性の低下を抑制することができる。
【００３７】
おむつ１の着用時に、延出域４１ｅの非固定部４１３が弛み難く、おむつ１の着用時の外観の審美性が向上する観点から、図３（ｂ）に示すように、外装体３の自然状態において、おむつ１を横方向Ｙに沿って断面視して、外装体固定部５３の非固定部４１３側の側縁５３Ｓが、本体固定部５２の非固定部４１３側の側縁５２Ｓよりも横方向Ｙ内方に位置していることが好ましい。このような関係が、腹側部Ｆ及び背側部Ｒの両方において成立していることが好ましく、図４（ｂ）に示すように、腹側部Ｆ及び背側部Ｒのみならず股下部Ｍにおいても成立していることが更に好ましい。このような観点から、外装体３の自然状態において、内方に凸になるように折り畳まれている延出域４１ｅを平面視して、外装体固定部５３の非固定部４１３側の側縁５３Ｓと本体固定部５２の非固定部４１３側の側縁５２Ｓとの横方向Ｙに沿う間隔が、延出域４１ｅの非固定部４１３の横方向Ｙの前記間隔Ｗ４１３ａに略一致していることが更に好ましい。
【００３８】
外装体固定部５３によって外装体３の収縮が阻害され難く、おむつ１の着用時の外観において、外装体３に無秩序な皺が発生し難く、審美性が向上する観点から、図４（ｂ）に示すように、股下部Ｍでは、外装体３の自然状態において、おむつ１を横方向Ｙに沿って断面視して、外装体３の幅が、吸収性本体２の幅よりも狭いことが好ましい。
【００３９】
おむつ１の着用時の外観において、防漏カフ４が見え難く、審美性が向上する観点から、図４（ｂ）に示すように、外装体３の自然状態において、おむつ１の股下部Ｍを横方向Ｙに沿って断面視して、カフ形成用シート４１と吸収性本体２とを固定するカフ固定部５１が、それぞれ、少なくとも一部において、本体固定部５２と厚み方向で重なる位置に配されていることが好ましく、各カフ固定部５１の全域が、本体固定部５２の横方向Ｙの範囲内に位置していることが更に好ましい。
【００４０】
おむつ１の着用時の外観において、審美性が向上する観点から、図３（ａ）及び図４（ａ）に示す外装体３を伸長させた状態における外装体固定部５３の非固定部４１３側の両側縁５３Ｓ，５３Ｓどうしの間隔（ＬＳ５３）に対する、図３（ｂ）及び図４（ｂ）に示す外装体３の自然状態における外装体固定部５３の非固定部４１３側の両側縁５３Ｓ，５３Ｓどうしの間隔（ＬＮ５３）の割合（（ＬＳ５３／ＬＮ５３）×１００）は、１２０％以上であることが好ましく、１５０％以上であることが更に好ましく、そして、３５０％以下であることが好ましく、３２０％以下であることが更に好ましく、具体的には、１２０％以上３５０％以下であることが好ましく、１５０％以上３２０％以下であることが更に好ましい。
【００４１】
また、おむつ１の着用時に吸収性本体２の備える吸収体２３が幅縮みし難く、おむつ１の外観の審美性が向上する観点から、図３（ｂ）及び図４（ｂ）に示す外装体３の自然状態において、一対の延出域４１ｅ，４１ｅそれぞれの非固定部４１３，４１３を平面視した横方向Ｙの間隔（一対の非固定部４１３，４１３それぞれの横方向Ｙの間隔の総和）（Ｗ４１３ａ）と、自然状態における外装体固定部５３の非固定部４１３側の両側縁５３Ｓ，５３Ｓどうしの間隔（ＬＮ５３）との和が、吸収体２３の横方向Ｙの長さ（Ｗ２３）と一致していることが最も好ましいが、少なくとも該長さ（Ｗ２３）よりも短いことが好ましい。特に、外装体３の自然状態において、一対の延出域４１ｅ，４１ｅそれぞれの非固定部４１３の横方向Ｙに沿う長さ（一対の非固定部４１３，４１３それぞれの横方向Ｙに沿う長さの総和）と、自然状態における外装体固定部５３の両側縁５３Ｓ，５３Ｓどうしの間隔（ＬＮ５３）との和が、吸収体２３の横方向Ｙの長さ（Ｗ２３）とが一致していることが好ましい。尚、非固定部４１３の横方向Ｙに沿う長さとは、延出域４１ｅの折り曲げに沿う長さの意味であり、延出域４１ｅにおける本体固定部５２の側縁５２Ｓから外装体固定部５３の側縁５３Ｓまでの道のりの長さを意味している。
【００４２】
また、図３（ｂ）及び図４（ｂ）に示す外装体３の自然状態において、該間隔（Ｗ４１３ａ）と、該間隔（ＬＮ５３）との和（Ｗ４１３ａ＋ＬＮ５３）が、本体固定部５２の非固定部４１３側の両側縁５２Ｓ，５２Ｓどうしの間隔（Ｗ５２Ｓ）と一致していることが好ましい。特に、一対の延出域４１ｅ，４１ｅそれぞれの非固定部４１３の横方向Ｙに沿う長さ（一対の非固定部４１３，４１３それぞれの横方向Ｙに沿う長さの総和）と、自然状態における外装体固定部５３の両側縁５３Ｓ，５３Ｓどうしの間隔（ＬＮ５３）との和が、該間隔（Ｗ５２Ｓ）と一致していることが好ましい。
【００４３】
外装体固定部５３によって外装体３の収縮が阻害され難く、おむつ１の着用時の外観において、外装体３に無秩序な皺が発生し難く、審美性が向上する観点から、図４（ａ）に示す外装体３を伸長させた状態の股下部Ｍにおいて、外装体３の横方向Ｙの長さ（Ｗ３）に対する、一対の外装体固定部５３，５３の横方向Ｙの長さ（一対の外装体固定部５３それぞれの横方向Ｙの長さの総和）（ＷＳ５３）の割合（（ＷＳ５３／Ｗ３）×１００）は、５％以上であることが好ましく、１０％以上であることが更に好ましく、そして、５０％以下であることが好ましく、４５％以下であることが更に好ましく、具体的には、５％以上５０％以下であることが好ましく、１０％以上４５％以下であることが更に好ましい。
【００４４】
図３（ａ）に示す外装体３を横方向Ｙに伸長させた状態において、吸収体２３の横方向Ｙの長さ（Ｗ２３）に対する、一対の本体固定部５２，５２の横方向Ｙの長さ（一対の本体固定部５２，５２それぞれの横方向Ｙの長さの総和）（Ｗ５２）の割合（（Ｗ５２／Ｗ２３）×１００）は、５％以上であることが好ましく、１０％以上であることが更に好ましく、そして、６０％以下であることが好ましく、４０％以下であることが更に好ましく、具体的には、５％以上６０％以下であることが好ましく、１０％以上４０％以下であることが更に好ましい。
【００４５】
図５〜図７には本発明の他の実施形態が示されている。後述する他の実施形態については、上述した図１〜図４に示すおむつ１と異なる構成部分を主として説明し、同様の構成部分は同一の符号を付して説明を省略する。特に説明しない構成部分は、上述したおむつ１についての説明が適宜適用される。図５〜図７に示すおむつ１は、特に、延出域４１ｅの形状等が、上述したおむつ１と異なっている。
【００４６】
図５（ａ）及び図５（ｂ）に示すおむつ１は、一対の延出域４１ｅ，４１ｅの折り畳み形状は同じであり、防漏カフ４の固定位置が異なっている。図５（ａ）及び図５（ｂ）に示すおむつ１は、上述したおむつ１と同様に、吸収性本体２の両側部２Ｓ，２Ｓそれぞれにおいて、吸収性本体２の非肌対向面に、防漏カフ４を構成するカフ形成用シート４１が固定された本体固定部５２が形成されており、吸収性本体２と外装体３とが、直接接合されておらず、カフ形成用シート４１の延出域４１ｅを介して固定されている。
【００４７】
そして、図５（ａ）及び図５（ｂ）に示すおむつ１においては、防漏カフ４が、カフ固定部５１（図３及び図４参照）にて固定されておらず、本体固定部５２にて固定されている。図５（ａ）及び図５（ｂ）に示すおむつ１では、防漏カフ４は、吸収性本体２の縦方向Ｘの腹側端部及び背側端部それぞれにおいて、横方向Ｙの自由端部を構成するカフ形成用シート４１が吸収体２３上の表面シート２１の肌対向面に固定されており、おむつ１の着用時には、縦方向Ｘにカフ弾性部材４２の収縮力が働き、少なくとも股下部Ｍにおいて本体固定部５２を起点としてカフ弾性部材４２を配した自由端部が着用者の肌に向けて起立するようになっている。
【００４８】
図５（ａ）及び図５（ｂ）に示すおむつ１では、カフ形成用シート４１の延出域４１ｅが本体固定部５２と外装体固定部５３とを隔てる非固定部４１３を有しているので、図１〜図４に示すおむつ１と同様の効果が奏される。
【００４９】
次に、図６（ａ）及び図６（ｂ）に示すおむつ１は、一対の延出域４１ｅ，４１ｅの折り畳み形状が異なっている。各延出域４１ｅは、横方向Ｙの中間部分が、吸収性本体２側において横方向Ｙ内方に凸になり、外装体３側において横方向Ｙ外方に凸になるように２か所で折り返されて折り畳まれている。図６（ａ）及び図６（ｂ）に示すおむつ１では、延出域４１ｅが２か所で折り返されて折り畳まれた形態であるため、本体固定部５２が形成された延出域４１ｅの面と、外装体固定部５３が形成された延出域４１ｅの面とが異なる面となっている。また図６（ａ）及び図６（ｂ）に示すおむつ１では、カフ固定部５１は、カフ形成用シート４１が吸収性本体２の上側で固定されて形成されている。
【００５０】
図６（ａ）及び図６（ｂ）に示すおむつ１では、図６（ａ）に示すように、外装体３を横方向Ｙに伸長させた状態において、おむつ１を横方向Ｙに沿って断面視して、外装体固定部５３の非固定部４１３側の両側縁５３Ｓ，５３Ｓが、各本体固定部５２の非固定部４１３側の側縁５２Ｓよりも横方向Ｙ外方に位置している。そして、図６（ｂ）に示すように、外装体３の自然状態において、おむつ１を横方向Ｙに沿って断面視して、外装体固定部５３の非固定部４１３側の両側縁５３Ｓ，５３Ｓが、各本体固定部５２の非固定部４１３側の側縁５２Ｓと横方向Ｙの反対側に位置する側縁よりも横方向Ｙ内方に位置している。
【００５１】
図３（ａ）及び図３（ｂ）に示すおむつ１では、非固定部４１３側の側縁５３Ｓが外装体固定部５３において最も横方向Ｙ内方に位置しているが、図６（ａ）及び図６（ｂ）に示すおむつ１では、非固定部４１３側の側縁５３Ｓが外装体固定部５３において外装体固定部５３の最も横方向Ｙ外方に位置している。尚、本体固定部５２の非固定部４１３側の側縁５２Ｓは、図３及び図６に示すおむつ１それぞれにおいて、本体固定部５２における最も横方向Ｙ内方に位置している。
【００５２】
図６（ａ）及び図６（ｂ）に示すおむつ１は、延出域４１ｅにおいて、本体固定部５２と外装体固定部５３とを隔てる非固定部４１３が形成されているので、図１〜図４に示すおむつ１と同様の効果が奏される。
【００５３】
次に、図７（ａ）及び図７（ｂ）に示すおむつ１は、図６（ａ）及び図６（ｂ）に示すおむつ１と同様に、横方向Ｙの中間部分が、吸収性本体２側において横方向Ｙ内方に凸になり、外装体３側において横方向Ｙ外方に凸になるように２か所で折り返されて折り畳まれており、本体固定部５２が形成された延出域４１ｅの面と、外装体固定部５３が形成された延出域４１ｅの面とが異なる面となっている。
【００５４】
図７（ａ）及び図７（ｂ）に示すおむつ１では、図６（ａ）及び図６（ｂ）に示すおむつ１と同様に、非固定部４１３側の側縁５３Ｓが外装体固定部５３において外装体固定部５３の最も横方向Ｙ外方に位置している。
【００５５】
また図７（ａ）及び図７（ｂ）に示すおむつ１では、図５（ａ）及び図５（ｂ）に示すおむつ１と同様に、吸収性本体２の両側部２Ｓ，２Ｓそれぞれにおいて、吸収性本体２の非肌対向面に、防漏カフ４を構成するカフ形成用シート４１が固定された本体固定部５２が形成されており、吸収性本体２と外装体３とが、直接接合されておらず、カフ形成用シート４１の延出域４１ｅを介して固定されている。そして、図７（ａ）及び図７（ｂ）に示すおむつ１では、防漏カフ４が、カフ固定部５１（図３及び図４参照）にて固定されておらず、本体固定部５２にて固定されている。図７（ａ）及び図７（ｂ）に示すおむつ１では、防漏カフ４は、吸収性本体２の腹側端部及び背側端部それぞれにおいて、自由端部を構成するカフ形成用シート４１が吸収性本体２の肌対向面に固定されており、おむつ１の着用時には、少なくとも股下部Ｍにおいて本体固定部５２を起点としてカフ弾性部材４２を配した自由端部が着用者の肌に向けて起立するようになっている。
【００５６】
図７（ａ）及び図７（ｂ）に示すおむつ１は、図６（ａ）及び図６（ｂ）に示すおむつ１と同様に、延出域４１ｅにおいて、本体固定部５２と外装体固定部５３とを隔てる非固定部４１３が形成されているので、図１〜図４に示すおむつ１と同様の効果が奏される。
【００５７】
以上、本発明をその実施形態に基づいて説明したが、本発明は、前記実施形態に制限されることなく適宜変更が可能である。
【００５８】
例えば、上述の図３〜図５に示すおむつ１では、図３（ａ）〜図５（ａ）に示す外装体３を横方向Ｙに伸長させた状態において、外装体固定部５３の非固定部４１３側の側縁５３Ｓが本体固定部５２の非固定部４１３側の側縁５２Ｓよりも横方向Ｙ外方に位置しており、図３（ｂ）〜図５（ｂ）に示す外装体３の自然状態において、外装体固定部５３の非固定部４１３側の側縁５３Ｓが本体固定部５２の非固定部４１３側の側縁５２Ｓよりも横方向Ｙ内方に位置しているが、延出域４１ｅが本体固定部５２と外装体固定部５３とを隔てる非固定部４１３を有していれば、そのような位置でなくてもよい。例えば、図６及び図７に示すように、図６（ａ）及び図７（ａ）に示す外装体３を横方向Ｙに伸長させた状態においても、図６（ｂ）及び図７（ｂ）に示す外装体３の自然状態においても、外装体固定部５３の非固定部４１３側の側縁５３Ｓが本体固定部５２の非固定部４１３側の側縁５２Ｓよりも横方向Ｙ外方に位置していてもよい。
【００５９】
また、上述の図３及び図４に示すおむつ１では、カフ固定部５１は、図３及び図４に示すように、防漏カフ４と表面シート２１とを固定して形成されているが、防漏カフ４と肌対向面側に巻き上げられた裏面シート２２とを固定して形成されていてもよく、防漏カフ４と巻き上げられた裏面シート２２及び表面シート２１に跨った部分とを固定して形成されていてもよい。
【００６０】
また、本発明の着用物品は、前述したおむつ１の如きパンツ型使い捨ておむつに限定されず、例えば、展開型使い捨ておむつに適用することができる。また、女性用のパンツ型の生理用ナプキンであってもよく、使い捨てのショーツであってもよい。
前述した本発明の実施形態に関し、更に以下の付記を開示する。
【００６１】
＜１＞
液保持性の吸収体を含む吸収性本体と、該吸収性本体の非肌対向面側に配された外装体とを備え、着用者の前後方向に対応する縦方向とこれに直交する横方向とを有する着用物品であって、前記吸収性本体における前記縦方向に沿う両側部それぞれに防漏カフが配されており、各前記防漏カフを形成するカフ形成用シートは、前記吸収性本体から前記外装体に向かって延びる延出域を備え、該延出域は前記縦方向に延在しており、
前記吸収性本体と前記外装体とは、前記吸収性本体の前記両側部において、前記延出域を介して固定されており、前記外装体は、少なくとも前記吸収性本体と重なる領域において、少なくとも前記横方向に伸縮性を有し、前記着用物品は、前記吸収性本体と前記カフ形成用シートとが前記縦方向に沿って固定された本体固定部と、前記外装体と該カフ形成用シートとが前記縦方向に沿って固定された外装体固定部とを備え、前記延出域は、前記本体固定部と前記外装体固定部との間に該本体固定部と該外装体固定部とを隔てる非固定部を有している、着用物品。
＜２＞
前記外装体を前記横方向に伸長させた状態において、前記外装体固定部の前記縦方向に沿う前記非固定部側の側縁が、前記本体固定部の前記縦方向に沿う該非固定部側の側縁よりも前記横方向外方に位置している、前記＜１＞に記載の着用物品。
＜３＞
前記外装体を前記横方向に伸長させた状態において、各前記外装体固定部の全域が、前記本体固定部よりも前記横方向外方に位置している、前記＜１＞又は＜２＞の何れか１に記載の着用物品。
＜４＞
前記外装体の自然状態において、前記外装体固定部の前記縦方向に沿う前記非固定部側の側縁が、前記本体固定部の前記縦方向に沿う該非固定部側の側縁よりも前記横方向内方に位置している、前記＜１＞〜＜３＞の何れか１に記載の着用物品。
＜５＞
着用時に着用者の股間部に配される股下部では、前記外装体の自然状態において、該外装体の幅が、前記吸収性本体の幅よりも狭い、前記＜１＞〜＜４＞の何れか１に記載の着用物品。
＜６＞
前記吸収性本体は、前記吸収体の非肌対向面側を覆うと共に肌対向面側に巻き上げられている裏面シートを含み、前記吸収性本体における前記縦方向に沿う前記両側部それぞれに前記防漏カフが配されており、該吸収性本体の肌対向面側の該両側部それぞれには該防漏カフの起端部と前記巻き上げられた裏面シートとが固定されたカフ固定部が形成されており、前記外装体の自然状態において、前記カフ固定部は、それぞれ、前記本体固定部と厚み方向で重なる位置に配されている、前記＜１＞〜＜５＞の何れか１に記載の着用物品。
＜７＞
前記裏面シートは、前記吸収体の前記縦方向に沿う前記両側部を被覆するように各該側部の肌対向面側に巻き上げられている、前記＜６＞に記載の着用物品。
＜８＞
前記防漏カフは、前記吸収性本体の肌対向面と非肌対向面とで固定されている、前記＜１＞〜＜７＞の何れか１に記載の着用物品。
＜９＞
前記外装体の自然状態において、前記吸収体の前記横方向の長さ（Ｗ２３）に対する、前記延出域の前記非固定部を平面視した際の前記横方向の間隔（一対の前記非固定部それぞれの前記横方向の間隔の総和）（Ｗ４１３ａ）の割合（（Ｗ４１３ａ／Ｗ２３）×１００）は、１０％以上であることが好ましく、２０％以上であることが更に好ましく、そして、５５％以下であることが好ましく、４５％以下であることが更に好ましく、具体的には、１０％以上５５％以下であることが好ましく、２０％以上４５％以下であることが更に好ましい、前記＜１＞〜＜８＞の何れか１に記載の着用物品。
＜１０＞
前記外装体の前記横方向の長さ（Ｗ３）に対する、前記延出域の前記非固定部を平面視した際の前記横方向の間隔（一対の前記非固定部それぞれの前記横方向の間隔の総和）（Ｗ４１３ｂ）の割合（（Ｗ４１３ｂ／Ｗ３）×１００）は、８％以上であることが好ましく、１２％以上であることが更に好ましく、そして、５０％以下であることが好ましく、４０％以下であることが更に好ましく、具体的には、８％以上５０％以下であることが好ましく、１２％以上４０％以下であることが更に好ましい、前記＜１＞〜＜９＞の何れか１に記載の着用物品。
【００６２】
＜１１＞
前記外装体の自然状態において、内方に凸になるように折り畳まれている前記延出域を平面視して、前記外装体固定部の前記非固定部側の側縁と前記本体固定部の前記非固定部側の側縁との前記横方向に沿う間隔が、前記延出域の前記非固定部の前記横方向の前記間隔に略一致している、前記＜１＞〜＜１０＞の何れか１に記載の着用物品。
＜１２＞
前記外装体を伸長させた状態における一対の前記外装体固定部の前記非固定部側の両側縁どうしの間隔（ＬＳ５３）に対する、前記外装体の自然状態における一対の前記外装体固定部の前記非固定部側の両側縁どうしの間隔（ＬＮ５３）の割合（（ＬＳ５３／ＬＮ５３）×１００）は、１２０％以上であることが好ましく、１５０％以上であることが更に好ましく、そして、３５０％以下であることが好ましく、３２０％以下であることが更に好ましく、具体的には、１２０％以上３５０％以下であることが好ましく、１５０％以上３２０％以下であることが更に好ましい、前記＜１＞〜＜１１＞の何れか１に記載の着用物品。
＜１３＞
前記外装体の自然状態において、一対の前記延出域それぞれの前記非固定部を平面視した前記横方向の間隔（一対の前記非固定部それぞれの横方向の間隔の総和）（Ｗ４１３ａ）と、自然状態における前記外装体固定部の前記縦方向に沿う前記非固定部側の両側縁どうしの間隔（ＬＮ５３）との和（Ｗ４１３ａ＋ＬＮ５３）が、前記吸収体の横方向の長さ（Ｗ２３）よりも短いことが好ましく、該長さ（Ｗ２３）と一致していることが更に好ましい、前記＜１＞〜＜１２＞の何れか１に記載の着用物品。
＜１４＞
前記外装体を伸長させた状態において、前記外装体の前記横方向の長さ（Ｗ３）に対する、一対の前記外装体固定部の前記横方向の長さ（一対の前記外装体固定部それぞれの前記横方向の長さの総和）（ＷＳ５３）の割合（（ＷＳ５３／Ｗ３）×１００）は、５％以上であることが好ましく、１０％以上であることが更に好ましく、そして、５０％以下であることが好ましく、４５％以下であることが更に好ましく、具体的には、５％以上５０％以下であることが好ましく、１０％以上４５％以下であることが更に好ましい、前記＜１＞〜＜１３＞の何れか１に記載の着用物品。
＜１５＞
前記外装体を前記横方向に伸長させた状態において、前記吸収体の前記横方向の長さ（Ｗ２３）に対する、一対の前記本体固定部の前記横方向の長さ（一対の前記本体固定部それぞれの前記横方向の長さの総和）（Ｗ５２）の割合（（Ｗ５２／Ｗ２３）×１００）は、５％以上であることが好ましく、１０％以上であることが更に好ましく、そして、６０％以下であることが好ましく、４０％以下であることが更に好ましく、具体的には、５％以上６０％以下であることが好ましく、１０％以上４０％以下であることが更に好ましい、前記＜１＞〜＜１４＞の何れか１に記載の着用物品。
＜１６＞
着用時に着用者の股間部に配される股下部の前後から前記縦方向に延出する腹側部及び背側部を有し、前記外装体は、前記腹側部から前記背側部に亘る全域において、前記横方向に伸縮性を有している、前記＜１＞〜＜１５＞の何れか１に記載の着用物品。
＜１７＞
前記非固定部は、前記吸収性本体及び前記外装体のみならず、前記着用物品を構成する全ての部材と固定されていない、前記＜１＞〜＜１６＞の何れか１に記載の着用物品。
＜１８＞
前記外装体の自然状態において、着用時に着用者の股間部に配される股下部を前記横方向に沿って断面視して、前記カフ形成用シートと前記吸収性本体とを固定するカフ固定部が、前記本体固定部と厚み方向で重なる位置に配されている、前記＜１＞〜＜１７＞の何れか１に記載の着用物品。
＜１９＞
前記外装体の自然状態において、着用時に着用者の股間部に配される股下部を前記横方向に沿って断面視して、前記カフ形成用シートと前記吸収性本体とを固定するカフ固定部の全域が、前記本体固定部の前記横方向の内方に位置している、前記＜１＞〜＜１８＞の何れか１に記載の着用物品。
＜２０＞
前記本体固定部は、前記吸収性本体の前記縦方向に沿う側部と重なる位置に配されている、前記＜１＞〜＜１９＞の何れか１に記載の着用物品。
【００６３】
＜２１＞
前記延出域は、前記横方向の中央部分が内方に凸になるように折り畳まれている、前記＜１＞〜＜２０＞の何れか１に記載の着用物品。
＜２２＞
前記外装体固定部では、前記延出域の他端部が、前記外装体の肌対向面に、帯状に面接触する状態で固定されており、前記着用物品の自然状態において、前記外装体に形成された皺に沿って前記延出域が配された状態となっている、前記＜１＞〜＜２１＞の何れか１に記載の着用物品。
＜２３＞
前記防漏カフは、前記本体固定部で固定されている、前記＜１＞〜＜２２＞の何れか１に記載の着用物品。
＜２４＞
前記延出域は、前記横方向の中間部分が、前記吸収性本体側において前記横方向内方に凸になり、前記外装体側において前記横方向外方に凸になるように２か所で折り返されて折り畳まれている、前記＜１＞〜＜２３＞の何れか１に記載の着用物品。
＜２５＞
前記外装体の自然状態において、前記着用物品を前記横方向に沿って断面視して、前記外装体固定部の前記非固定部側の側縁が、前記本体固定部の前記非固定部側の側縁と前記横方向の反対側に位置する側縁よりも前記横方向内方に位置している、前記＜１＞〜＜２４＞の何れか１に記載の着用物品。
【符号の説明】
【００６４】
１  パンツ型使い捨ておむつ（着用物品）
Ｆ  腹側部
Ｍ  股下部
Ｒ  背側部
２  吸収性本体
２１  表面シート
２２  裏面シート
２３  吸収体
３  外装体
３１  外層シート
３２  内層シート
３３  弾性部材
４  防漏カフ
４１  カフ形成用シート
４１ｅ  延出域
４１１  一端部
４１２  他端部
４１３  非固定部
４２  カフ弾性部材
５１  カフ固定部
５２  本体固定部
５２Ｓ  非固定部側の側縁
５３  外装体固定部
５３Ｓ  非固定部側の側縁
Ｘ  縦方向
Ｙ  横方向
【図１】
2019118589.tif 000003
【図２】
2019118589.tif 000004
【図３】
2019118589.tif 000005
【図４】
2019118589.tif 000006
【図５】
2019118589.tif 000007
【図６】
2019118589.tif 000008
【図７】
2019118589.tif 000009